(57)【要約】【課題】旅行者その他のユーザに対し各種のサービスを提供するためのハブとなる多機能装置を提供する。【解決手段】マルチメディアハブ装置１は、少なくとも１つのタワー部を備えたシャーシーと、シャーシーに搭載されオペレーティングシステムを実行するマイクロプロセッサ（コントローラ１２）と、シャーシーに搭載された少なくとも１つのビデオディスプレイ装置３３と、シャーシーに搭載された少なくとも１つの入力装置３２と、ユーザが出力を指示できる少なくとも１つの印刷による出力装置（マーキングエンジン１０）と、を備える。【選択図】図３
2005135423.tif 000002
【特許請求の範囲】
【請求項１】
少なくとも１つのタワー部を備えたシャーシーと、
前記シャーシーに搭載されたマイクロプロセッサであって、ユーザインタフェースを含んだオペレーティングシステムを実行するマイクロプロセッサと、
前記シャーシーに搭載された少なくとも１つのビデオディスプレイ装置であって、前記オペレーティングシステムから表示データを受け取るビデオディスプレイ装置と、
前記シャーシーに搭載された少なくとも１つの入力装置であって、ユーザが前記オペレーティングシステムに対してデータを入力するための入力装置と、
ユーザが出力を指示できる少なくとも１つの印刷による出力装置と、
を備えるマルチメディアハブ装置。
【請求項２】
請求項１記載のマルチメディアハブ装置であって、前記少なくとも１つのタワー部は、該ハブ装置が他の装置と通信するための少なくとも１つのデータポートを備える、ことを特徴とするマルチメディアハブ装置。
【請求項３】
請求項１記載のマルチメディアハブ装置であって、前記少なくとも一つのビデオディスプレイ装置はタッチ・センシティブ・ディスプレイ装置であり、前記少なくとも１つの入力装置としても機能する、ことを特徴とするマルチメディアハブ装置。
【請求項４】
請求項１記載のマルチメディアハブ装置であって、支払受付装置を更に備えることを特徴とするマルチメディアハブ装置。
【請求項５】
フロア部の上に立設された第１及び第２のタワー部を備えるシャーシーと、
前記第１のタワー部と第２のタワー部との間に設けられたビデオディスプレイ装置と、
前記シャーシーに搭載されたマイクロプロセッサであって、ユーザインタフェースを含んだオペレーティングシステムを実行するマイクロプロセッサと、
前記シャーシーに搭載された少なくとも１つのビデオディスプレイ装置であって、前記オペレーティングシステムから表示データを受け取るビデオディスプレイ装置と、
前記シャーシーに搭載された少なくとも１つの入力装置であって、ユーザが前記オペレーティングシステムに対してデータを入力するための入力装置と、
該ハブ装置が他の装置と通信するための少なくとも１つのデータポートと、
ユーザが出力を指示できる少なくとも１つの印刷による出力装置と、
を備えるマルチメディアハブ装置。
【請求項６】
請求項５記載のマルチメディアハブ装置であって、前記少なくとも一つのビデオディスプレイ装置はタッチ・センシティブ・ディスプレイ装置であり、前記少なくとも１つの入力装置としても機能する、ことを特徴とするマルチメディアハブ装置。
【請求項７】
請求項５記載のマルチメディアハブ装置であって、前記第１のタワー部と前記第２のタワー部との間に延びる作業台部を備えることを特徴とするマルチメディアハブ装置。
【請求項８】
請求項５記載のマルチメディアハブ装置であって、原本を受け入れて読み取り該原本の画像を生成するためのスキャンインタフェースを更に備えることを特徴とするマルチメディアハブ装置。
【請求項９】
請求項５記載のマルチメディアハブ装置であって、前記第１及び第２のタワー部のうちの少なくとも一方は、印刷による出力装置を収容していることを特徴とするマルチメディアハブ装置。
【請求項１０】
請求項５記載のマルチメディアハブ装置であって、更に支払受付装置を備えることを特徴とするマルチメディアハブ装置。
【請求項１１】
フロア部の上に立設された第１及び第２のタワー部を備えるシャーシーと、
前記第１のタワー部と第２のタワー部の少なくとも一方に接続された作業台部と、
前記シャーシーに搭載されたマイクロプロセッサであって、ユーザインタフェースを含んだオペレーティングシステムを実行するマイクロプロセッサと、
前記シャーシーに搭載された少なくとも１つのビデオディスプレイ装置であって、前記オペレーティングシステムから表示データを受け取るビデオディスプレイ装置と、
前記シャーシーに搭載された少なくとも１つの入力装置であって、ユーザが前記オペレーティングシステムに対してデータを入力するための入力装置と、
該ハブ装置が他の装置と通信するための少なくとも１つのデータポートと、
原本を受け入れて読み取り該原本の画像を生成するためのスキャンインタフェースと、
ユーザが出力を指示できる少なくとも１つの印刷による出力装置と、
を備え、
前記少なくとも１つのビデオディスプレイ装置には前記第１のタワー部と前記第２のタワー部との間に設けられたビデオディスプレイ装置が含まれ、
前記少なくとも１つの入力装置には、少なくとも１つのキーボードと、少なくとも１つのポインティングデバイスとが含まれ、
前記少なくとも１つのデータポートには、少なくとも１つのネットワーク接続ポートと、少なくとも１つのビデオ入力ポートとが含まれる、
マルチメディアハブ装置。
【発明の詳細な説明】
【技術分野】
【０００１】
本発明は、複数人の間の通信やコラボレーション（協業・共同作業）の際のハブ（中枢）機能を提供する多機能装置に関する。
【背景技術】
【０００２】
携帯電子機器やＰＤＡ(Personal Digital Assistant)、携帯電話、携帯コンピュータなどの普及は、電子メールやインターネットの他の側面への依存の増大と相まって、人が電子メールを確認したり、インターネット／ウェブへアクセスしたり、文書を印刷したり、ビデオ会議を行ったりすることが多くなっている。携帯電話は、ある状況ではウェブや電子メールに対する基礎的なアクセス手段を提供することができるが、そのようなアクセスに要する料金は過大なものであり、通信速度は遅い。また、ユーザが、携帯電話に表示出来ないコンテンツや添付文書を見る必要が出てくる場合もある。
【０００３】
携帯コンピュータにより人は移動中でも働くことができ、サービス毎料金方式(fee-for-service)でインターネット・アクセスを提供する公共スペースも増えてきている。しかし、これらは典型的にはユーザ達が必要とする印刷その他のサービスを提供していない。そのようなサービスを部分的にせよ提供するために、多くの空港ではインターネット・ブースを提供しており、そのブース内では、プリンタ付属のコンピュータがインターネット・アクセスや仕事のために利用出来るようになっており、ことによっては旅行者自身の携帯コンピュータの利用も認めている場合もある。
【０００４】
【特許文献１】米国特許第６，６０６，１６３号明細書
【特許文献２】米国特許第６，４７０，１５５号明細書
【特許文献３】米国特許第６，２１３，６５２号明細書
【特許文献４】米国特許第５，９８７，５３５号明細書
【特許文献５】米国特許第５，９７８，５５９号明細書
【特許文献６】米国特許第５，８１５，７６４号明細書
【特許文献７】米国特許第５，６５７，４６１号明細書
【特許文献８】米国特許第５，３０８，０５８号明細書
【特許文献９】米国特許第５，１１９，０７９号明細書
【特許文献１０】米国特許第４，７７９，１０５号明細書
【発明の開示】
【発明が解決しようとする課題】
【０００５】
本発明は、旅行者その他のユーザに対し各種のサービスを提供するためのハブとなる多機能装置を提供する。
【課題を解決するための手段】
【０００６】
本発明に係る多機能装置は、マーキングエンジンと、スキャンエンジンと、前記マーキングエンジン及び前記スキャンエンジンを制御するコントローラと、前記マーキングエンジンと前記コントローラとに接続され、前記コントローラからの指示に応じ、前記コントローラから印刷データを受け取り、前記マーキングエンジンにその印刷データのハードコピーを生成させる印刷サービスモジュールと、前記スキャンエンジンと前記コントローラとに接続され、前記コントローラからの指示に応じ、前記スキャンエンジンからスキャンデータを受け取って前記コントローラへと送信するスキャンサービスモジュールと、前記スキャンエンジンと前記マーキングエンジンと前記コントローラとに接続され、前記スキャンエンジンからの入力を受け取り、その入力のハードコピーを前記マーキングエンジンに生成させるコピーサービスモジュールと、前記コントローラに制御されたデータの入力及び出力のための少なくとも１つのデータポートと、前記コントローラに制御され、前記印刷データ、前記スキャンデータ、及び処理のために必要なファイルを記憶可能な記憶媒体と、支払受付モジュールと、を備える。
【０００７】
ある態様では、旅行者その他のユーザが、サービス毎料金方式で、インターネットのブラウジングや電子メール、ウェブメールの確認をできるようにしたり、ファイル転送や印刷その他の機能やサービスのために携帯装置を接続できるようにしたりする、公衆がアクセス（利用）できる、マルチメディア・コミュニケーション及びコラボレーションのためのハブ装置を提供する。更に、ある態様では、ビデオ会議やファクシミリ送信を利用できるようにする。好適には、ユーザがハブ装置のカメラやマイクを用いて動画や静止画をキャプチャ（撮影取り込み）して保存したり、或いは送信したりできるようにする。
【０００８】
好適な態様では、電話サービス、文書やデータの作成、ＣＤやＤＶＤへのデータや映像、音声の書き込みなどの各種サービスを提供する。更にある態様では、ユーザに対して適切な指示を行ったり、ビデオゲームを提供したり、ソフトウエアをダウンロード販売してメディアに格納したりユーザのコンピュータに直接転送したりすることができる。公共スペースでの態様では、使用されていないディスプレイは広告に利用でき、これは収入源となりうる。例えば、広告は、近日上映の映画や、製品、サービス、会社のプロモーションや、従来からの掲示板やその他の広告メディアに利用できる。さらに、広告は、映像、音声、静止画像、コンピュータ・アニメーションなど、広告主に応じて様々なものを含み得る。
【０００９】
好適な態様では、本発明に係る多機能装置は、タッチ入力装置、マウス、キーボード、レーザスポットの追跡による入力装置、物体の追跡による入力装置、タグ（例えば無線タグなど）、等々の数多くの入力装置によって制御される。タッチ入力装置には、例えばタッチスクリーンやトラックパッド(trackpad)などがある。好適な態様は、個人コードやパスワードを用いる方式などによる認証システムを含む。これら個人コードやパスワードはユーザのパーソナル電子機器から送信したり、入力装置から入力したりする。好適には、動きセンサや周囲の床の床材に埋設された圧力センサなどを用いて、近づいてくるユーザを検知し、そのユーザが仮想の業務用名刺等によりＩＤ情報やパスワードを提供できる電子機器を携帯しているかどうかを判定するために無線通信プロトコルを用いて問い合わせを行う。更に、ある態様では、ユーザが自分の名前やパスワードを声で発することができるようにする音声認証システムを利用することもできる。
【００１０】
ユーザがリモート印刷をできるようにするために、ある態様では、様々な形態の、ロック（施錠）可能な印刷を提供する。例えば、ユーザが待ってくれそうなジョブは、ユーザがやってきてコードを入力するまで記憶媒体やメモリに保持する。ユーザが待ってくれそうにないジョブについては、セキュア（安全）な出力領域が用意されており、この出力領域はユーザがやってくるまで閉鎖されロック状態に保たれ、ユーザがやってくるとハブ装置のユーザインタフェース（以下ＵＩと略す）が、ＩＤとパスワードを確認した上で、適切な出力エリアをユーザに指示する。
【００１１】
ある態様の装置は、Ｘｅｒｏｘ（登録商標） Device Centric Service（商標）（ＤＣＳと呼ぶ）等を用いた、備品（サプライ）やサービスの自動監視や維持管理を実行する。ＤＣＳは、備品供給や診断その他のサービスを提供する。これらサービスは、ローカルに格納されたソフトを用いて実現することもできるし、リモートのサービスホストから取得するようにすることもできる。あるサービスがインストールされていなければ、ＤＣＳはユーザの指示に応じてそのサービスを取得する。
【００１２】
ある態様では、多機能装置は、例えば、交通ターミナルなどのような公共スペースの共用エリアに設けることができる。ユーザは、その多機能装置に対し、無線ＰＤＡなどのようなパーソナル電子機器からＸｅｒｏｘ（登録商標）サービスネットワークを介して要求を発し、公衆アクセスのハブとなる多機能装置（ハブ装置）からプレゼンテーション書類の印刷や丁合、ステープル留めがされるように指示することができる。ハブ装置は、印刷し、丁合し、出力をステープル留めし、それをセキュア名出力トレイに保持する。それからユーザはハブ装置の位置を突き止め、それからある態様では、ハブ装置は、ユーザのＰＤＡに問い合わせを行って業務用名刺のデータを求めるなどにより、ユーザのＩＤコードを探すことができる。ある態様のハブ装置は、ユーザに対し名前を呼んで挨拶をし、そのユーザの本人確認のために、事前に取り決められたパスワードを尋ねる。ある態様では、パスワードは声により入力したり、文字入力デバイスにおいてタイプ入力したり、ＰＤＡや携帯電話などから送信したりすることができる。一旦ユーザの本人確認ができると、ハブ装置はセキュアな出力トレイのロック（錠）を解除し、ユーザに対しトレイを開けて印刷結果を取り出すよう指示する。
【００１３】
ある態様では、ハブ装置は、ディスプレイ装置が使用されていない期間に広告を表示させることができる。もしユーザが興味あるものを見つけたら、そのユーザはハブ装置に対しもっと多くの情報を要求することができる。ハブ装置はそのデータをＰＤＡにデータを送信したり、ハードコピー出力したり、或いはその両方を行ったりすることができる。ハブ装置は、更に、電話及びファクシミリ送信サービスを提供することができ、好ましくは公衆アクセスを想定した態様では、サービス毎料金方式で、ユーザが電話をしたり、ファクシミリの送信を行ったりできるようにする。ビデオカメラを備える態様では、ビデオ会議サービスを提供することもできる。
【００１４】
ある態様では多機能装置は、近接センサや圧力センサ、入力デバイスの監視装置などのようなユーザ検知器を備える。近接センサは、例えば赤外線（ＩＲ）を用いたセンサなどであり、これらはこの分野で知られている。圧力センサはハブ装置の周囲の床に埋設できる。ある態様では、ハブ装置の基礎構造が設けられ、この基礎構造は床板を含んでおり、この床板の下又は内部に圧力センサを設けることができる。したがって、ハブ装置は、ユーザの接近や到来、あるいはユーザの退出を検知することができ、それに反応して処理を実行することができる。
【００１５】
会議室等に用いる態様の多機能装置は、ＰＤＡ、ラップトップコンピュータ、コンピュータ・タブレットなどのような携帯電子機器に対するネットワーク接続用のハブ装置として機能することができる。ネットワーク接続は、有線ネットワーク接続、無線ネットワーク接続、又はそれらの組合せにより実現することができる。ネットワーク接続に用いるプロトコルには、例えば、AppleTalk（登録商標）、TCP/IPなどがある。無線ネットワーク接続及びコネクティビティ（接続性）のために、ある態様では、IRDA, IEEE 802.11, Bluetooth等を用いることができる。さらに、ハブ装置には、データの共有や同時操作を可能にするコラボレーション（協業、或いは共同作業）ソフトウエアを設けることもできる。
【００１６】
またある態様のハブ装置は、進行中のミーティングを妨げることなくデータを取り出すことができる。ユーザは、ハブ装置の別のディスプレイ（「個人用」）を用いて、例えばインターネットを介してデータにアクセスしたり、セキュアなデータ・アーカイブにアクセスしたりすることができる。ユーザは、データを検索し、それを共同作業用のワークスペースや自分のコンピュータその他の機器、或いはそれら両方にコピーすることができる。もし参加者が仕事の成果のハードコピーを希望する場合は、ハブ装置はそのコピーをすぐにその室内で印刷することができる。これにより、その情報を建物内のどこか他にあるローカルのプリンタへと送信し、それを取りに行くために部屋を離れなければならないというような必要をなくすことができる。ハブ装置は、好適には、定期的に自己診断を実行する。用紙等の備品の量が少なくなったことを検知すると、ハブ装置は、ユーザ設定に応じて、システム管理者に警告を発したり、備品の発注情報を作成したり、その発注情報を送信したりすることができる。
【発明を実施するための最良の形態】
【００１７】
以下、図面を参照して、本発明を実施するための最良の形態（以下「実施形態」と呼ぶ）について説明する。
【００１８】
好適には、実施形態のシステムは、コミュニケーション及び／又はコラボレーションのためのハブ装置１を備えており、このハブ装置１は、例えば電話サービスや文書・データの作成、ＣＤやＤＶＤへのデータや映像、音声の書き込みなどの各種サービスを提供する機能を備える。また実施形態のシステムは、ユーザに対して適切な指示を行ったり、ビデオゲームを提供したり、ソフトウエアをダウンロード販売してメディアに格納したりユーザのコンピュータに直接転送したりすることができる。公共スペースに設置するシステム例では、使用されていないディスプレイを広告に利用でき、これは収入源となりうる。例えば、広告は、近日上映の映画や、製品、サービス、会社の売り出しや、従来からの掲示板やその他の広告メディアに利用できる。さらに、広告は、映像、音声、静止画像、コンピュータ・アニメーションなど、広告主に応じて様々なものを含み得る。
【００１９】
実施形態のシステムは、好適には、タッチ入力（タッチ・センシティブ）装置、マウス、キーボード、レーザスポットの追跡による入力装置、物体の追跡による入力装置、タグ（例えば無線タグなど）、等々の数多くの入力装置３２によって制御され、これら入力装置はハブ装置のユーザインタフェース（ＵＩ）２９への入力情報を提供する。タッチ入力装置には、例えばタッチスクリーンやトラックパッド(trackpad)などがある。
【００２０】
好適には、実施形態は、個人コードやパスワードを用いる方式などによる認証システム（セキュリティシステム４０）を含み、これら個人コードやパスワードはユーザのパーソナル電子機器から送信したり、入力装置３２から入力したりすることができる。また実施形態は、好適には、動きセンサや周囲の床の床材に埋設された圧力センサなどを用いて、近づいてくるユーザを検知し、そのユーザが仮想的な業務用名刺（名刺データ）等によりＩＤ情報やパスワードを提供できる電子機器を携帯しているかどうかを判定するために、無線通信プロトコルを用いて問い合わせを行う。更に、実施形態のシステムは、ユーザが自分の名前やパスワードを声で発することができるようにするために、音声認証システムを備える形で構成することもできる。
【００２１】
ユーザにリモート印刷機能を提供するために、実施形態のシステムでは、様々な形態の、ロック（施錠）可能な印刷機能を提供する。例えば、ユーザが待ってくれそうなジョブ（例えばユーザが来てから印刷を始めて出力完了までにそれほど時間が掛からないジョブ）は、ユーザがやってきてコードを入力するまで記憶媒体やメモリに保持しておく。ユーザが待ってくれそうにないジョブ（例えばユーザが来てから印刷を始めたのでは出力完了までに長い時間が掛かりユーザを待たせてしまうジョブ）については、セキュア（安全）な出力領域を用意する。この出力領域はユーザがやってくるまで閉鎖されロック状態に保ち、ユーザがやってくるとハブ装置のユーザインタフェース（以下ＵＩと略す）が、ＩＤとパスワードを確認した上で、適切な出力領域（すなわちそのユーザのジョブの出力を保持している出力領域）をユーザに指示する。
【００２２】
実施形態のシステムは、Ｘｅｒｏｘ（登録商標） Device Centric Service（商標）（ＤＣＳと呼ぶ）等を用いた、備品（サプライ）やサービスの自動監視や維持管理を行う。ＤＣＳは、備品供給や診断その他のサービスを提供する。これらサービスは、ローカル格納されたソフトウェアで実現することもできるし、リモートのサービスホストから取得するようにすることもできる。あるサービスがインストールされていなければ、ＤＣＳはユーザの指示に応じてそのサービスを取得する。
【００２３】
実施形態のシステムは、キオスク端末のような、公衆が利用できる多機能端末（複合機）を備える。この多機能端末は、好適には、サービス毎料金(fee-for-service)方式により、オン・デマンドで、インターネット・アクセス、ファイルの印刷や共有、スキャン（原稿読取）処理、遠隔通信、などに利用することができる。実施形態によれば、この端末装置は、マーキングエンジン（プリントエンジン）１０，スキャンエンジン１１，及びコントローラ１２を備え、これらが協働することで、印刷サービスモジュール１３，スキャンサービスモジュール１４，及びコピーサービスモジュール１５が実現される。実施形態は、好適には、コントローラ１２に管理された記憶媒体１７を備え、ハブ装置１はその記憶媒体１７に印刷データやスキャンデータ、その他処理の際で必要な各種のファイルを格納することができる。また、実施形態は、支払受付モジュール１８を備える構成とすることができ、この場合、サービス毎料金方式のトランザクション処理が実現できる。クレジットカード・リーダ、ＡＴＭカード・リーダ、現金受付機(cash acceptor)、及び銀行や現金振替サービスとのソフトウエアによるネットワーク接続経由のトランザクションが、本実施形態に利用可能な支払受付モジュールの例である。
【００２４】
コントローラ１２は、ハードウエア的にはマイクロプロセッサにより構成され、オペレーティングシステム・プログラムを実行することにより本実施形態の動作を実現する。オペレーティングシステムの中には、上述のＵＩ２９のためのプログラムも含まれる。
【００２５】
印刷サービスモジュール１３は、好適には、マーキングエンジン１０とコントローラ１２とに通信接続されている。コントローラ１２からの指示に応じ、印刷サービスモジュール１３はコントローラ１２から印刷データを受け取り、マーキングエンジン１０を用いてその印刷データのハードコピーを生成する。
【００２６】
スキャンサービスモジュール１４は、好適には、スキャンエンジン１１とコントローラ１２とに接続されている。コントローラ１２からの指示に応じ、スキャンサービスモジュール１４はスキャンエンジン１１からスキャンデータ（読み取った画像データ）を受け取り、それをコントローラ１２に送信する。そのスキャンデータは、そのあと多機能装置１に接続された記憶装置１７，３５，３６，３７に記憶されたり、多機能装置１に通信接続された携帯電子装置２３，２４，２５へと転送されたり、あるいは電子メールやインターネットファイル転送、ＦＡＸ転送その他の転送プロトコルを用いて、指定された宛先へと転送されたりする。
【００２７】
コピーサービスモジュール１５は、、好適には、スキャンエンジン１１と、マーキングエンジン１０と、コントローラ１２とに接続されている。コピーサービスモジュール１５は、スキャンエンジン１１からスキャンデータを受け入れ、マーキングエンジン１０を用いてそのスキャンデータを再生することで、スキャンデータのハードコピーを生成する。
【００２８】
実施形態の装置は、スピーカーや、ユーザがヘッドセット（ヘッドフォン）のプラグを差し込むことができるジャックなどのような、オーディオフィードバック装置３８を備えていてもよい。オーディオフィードバックは、例えば、単純な音、サンプリングされた音、或いは談話音声などの形でユーザに提供される。さらに、オーディオフィードバック装置３８は、実施形態において適切に、遠隔コミュニケーション・アプリケーションにおいて利用することもできる。
【００２９】
好適には、実施形態の装置は、更に、コントローラ１２に制御された少なくとも１つのデータポート１６を備えている。このデータポート１６を介して、多機能装置１はデータを受け取ったり送信したりすることができる。この装置は、無線ネットワークポート２２や有線ネットワークポート２８のような少なくとも１つのネットワークポートを備える。多機能装置１は、それらポートを通して、携帯コンピュータ２３，ＰＤＡ２４，携帯電話２５などの他の機器と通信することができる。無線ネットワークポート２２は、IRDA, Bluetooth（商標）， IEEE 802.11プロトコルなどのような公知、或いはこれから現れる１又は複数の無線通信プロトコルを用いることができる。好適には、本装置は、ユーザ達に、多機能装置１との間やユーザ同士の間（一方でも両方でもよい）での無線ネットワークが確立できるようにし、これによりコラボレーション（協業）や、多機能装置１との間のローカルのデータ共有や、ネットワーク接続された他の装置との間のリモートのデータ共有を可能にする。更に、実施形態では、シリアル、パラレル、ＵＳＢ(Universal Serial Bus)、FireWire、イーサーネット（登録商標）、その他の適切なインタフェースを介したコネクション（接続）により、その多機能装置が、携帯コンピュータに直接接続されたプリンタやスキャナ、その他の周辺機器として振る舞うことを可能にしている。
【００３０】
電話コネクション３１を備えるシステムの例には、コントローラ１２に制御されたＦＡＸモジュール２０及びＦＡＸ送信エンジン１９が設けることもできる。これらはスキャンエンジン１１とＦＡＸ送信エンジン１９と接続することができ、ＦＡＸモジュール２０はスキャンエンジン１１からスキャンデータを受け取り、そのスキャンデータをＦＡＸ送信エンジン１９を介してＦＡＸデータとして送信する。また別の方式では、ＦＡＸモジュール２０がワードプロセッサ文書などの電子ファイルを処理してＦＡＸデータを生成し、そのＦＡＸデータをＦＡＸ送信エンジン１９に送ってＦＡＸ受信者へと送信させる。更に、本実施形態では、電話コネクション３１又はＤＳＬやケーブルモデムなどのその他のタイプのインターネット３０コネクションを用いたインターネット・ダイヤルアップ接続を介して、インターネット３０ベースのＦＡＸ送信を行うこともできる。
【００３１】
上述のように、装置１は少なくとも１つのデータポート１６を備える。好適には、この装置１は、少なくとも１つのオーディオ（音声）入力ポートと、オーディオデータ取扱モジュールを備える。オーディオデータ取扱モジュールは、コントローラにより制御され、異なる複数のオーディオ機能を表した複数のＵＩ（ユーザインタフェース）要素を含んでいる。それら複数のＵＩ要素のうちの少なくとも１つは、電話コミュニケーションを表し、装置１は、そのオーディオデータ取扱モジュールに接続された電話モジュールを備えるようにしてもよい。オーディオデータ取扱モジュールは、少なくとも１つのオーディオ入力ポートからオーディオ入力を受け取り、それを電話モジュールに送り、電話モジュールはそのオーディオ情報を電話コネクションを介して送信する。このようにして、その装置１は電話コールを行うことができるようにしている。このような電話コールは、実施形態の装置構成に応じ、従来からある電話通信を用いて行うことができる。更に、電話コールは、ＶｏＩＰ(Voice-over-IP)通信を用いて行うこともできる。この場合、多機能装置１は、オーディオデータ取扱モジュールに接続されたＶｏＩＰモジュールを備える。オーディオデータ取扱モジュールは、少なくとも１つのオーディオ入力ポートからオーディオ入力を受け取り、このオーディオ入力情報をＶｏＩＰモジュールに送り、ＶｏＩＰモジュールはこのオーディオ入力情報をＩＰコネクションを介して送出する。好適には、上述の複数のＵＩ要素のうちの少なくとも１つが、ＶｏＩＰ通信を表す。
【００３２】
実施形態では、少なくとも１つのＵＩ要素がオーディオファイルの生成を示す。オーディオデータ取扱モジュールに、オーディオファイル生成モジュールが接続される。オーディオファイル生成モジュールが起動されると、オーディオデータ取扱モジュールは、少なくとも１つのオーディオ入力ポートからオーディオ入力を受け取り、それをオーディオファイル生成モジュールに送る。オーディオファイル生成モジュールは、そのオーディオ入力データをエンコードし、それをファイルに格納する。このとき、例えばμＬＡＷ，ＷＡＶ，ＡＡＣ，ＭＰＥＧ−２  ｌａｙｅｒ３（ＭＰ３），ＣＤ  Ａｕｄｉｏその他の、既存或いはこれから現れるエンコード方式及びファイル形式を用いることができる。
【００３３】
本実施形態に適用可能な更なる機能として音声認証がある。少なくとも１つのＵＩ要素が音声認証を示し、装置１は更に音声認証モジュールを備える。音声認証モジュールはコントローラ１２に制御され、オーディオデータ取扱モジュールに接続され、認証のための音声入力を受け取れるようになっている。このモジュールでは、既存の、或いはこれから現れる各種の認証ルーチンを利用することができる。
【００３４】
音声コマンド・制御を本実施形態に組み込むこともでき、これによりユーザが多機能装置やその中のモジュールの動作を制御したり、インターネット接続可能な実施例の場合はインターネットのナビゲーションを行ったりできるようにすることもできる。更に、実施形態の装置は、音声を認識してテキスト文書を生成する(speech-to-text)ソフトウエアを含むこともでき、これによればユーザが装置に対しテキスト文書を口述入力できるようになる。適切なコマンド、制御、音声認識のソフトウエアパッケージとしては、ＩＢＭ（登録商標）、ＶｉａＶｏｉｃｅ（登録商標）、ＭａｃＳｐｅｅｃｈ（商標）ｉＬｉｓｔｅｎ（商標）ａｎｄ  ＬｉｓｔｅｎＤｏ（商標）、Ｄｒａｇｏｎ（登録商標）Ｎａｔｕｒａｌｌｙ  Ｓｐｅａｋｉｎｇ（商標）があるが、これらに限定されるものではない。例えばＳｃａｎＳｏｆｔ（登録商標）とＭａｃＳｐｅｅｃｈ（登録商標）などのように、これらと他のオプションを利用することもできる。
【００３５】
本実施形態は、また、好適には、ユーザに対し、テレビ会議やその他のアプリケーションのためにビデオデータを利用する機能を提供する。従って、実施形態の少なくとも１つのデータポートの中には、１又は複数のビデオ入力ポートが含まれ、ビデオモジュールがコントローラ１２に制御される。また、実施形態は、ビデオ入力ポートに接続されたカメラ３４を備えており、このカメラはビデオデータをビデオ取扱モジュールへと送る。ビデオ取扱モジュールは、画像ファイル、ムービー（動画）ファイルを生成することができ、ビデオデータを他の目的のために他のモジュールに送ることができる。好適には、多機能装置のＵＩには、複数の異なるビデオ機能を表す複数のＵＩ要素が設けられている。好適には、本実施形態は、画像及び／又はビデオファイル生成を示すＵＩ要素を備える。画像及び／又はビデオファイル生成のＵＩ要素は、ビデオモジュールに接続されたビデオファイル生成モジュールを起動するためのものである。ビデオファイル生成モジュールは、少なくとも１つのビデオ入力ポートから（例えばカメラから）ビデオ入力を受け取り、それをビデオファイル生成モジュールへと送り、ビデオファイル生成モジュールはそのビデオ入力データをエンコードし、ファイルに格納する。画像ファイルの生成には、ＴＩＦＦ，ＧＩＦ，ＪＰＥＧ等の周知のフォーマットを用いることができる。またムービーファイルの生成には、ＭＰＥＧ，ＡＶＩ，ＱｕｉｃｋＴｉｍｅ（登録商標）などの周知のフォーマットを用いることができる。一旦生成されると、画像ファイルやムービーファイルからの静止画像は、ユーザの希望に応じて送信したり、転送したり、印刷したりすることができる。
【００３６】
テレビ会議を可能にするために、実施形態の装置に対し、ビデオモジュール、オーディオフィードバック装置及びオーディオ入力ポートに接続されたビデオ会議モジュールを設けてもよい。ビデオモジュールは、カメラからビデオデータを、オーディオ入力ポートからオーディオ入力をそれぞれ受け取り、ビデオ会議モジュールはそのビデオデータをビデオ会議へと送信する。さらに、ビデオ会議モジュールはビデオ及びオーディオデータを受け取り、それをビデオモジュールとオーディオフィードバック装置に送る。ビデオモジュールは、例えば、そのビデオデータを多機能装置のディスプレイに表示する。ユーザがそのビデオデータをどこに表示するのか選択するための機能が提供することも好ましい。例えば、多機能装置１に含まれる１以上のディスプレイや、多機能装置１に接続された携帯装置や、ユーザが選んでいる他の装置のなかから選べるようにするのである。
【００３７】
実施形態の装置は、多様な記憶媒体のドライブやインタフェースを備えるようにすることもできる。例えば、ユーザの光メディアを受け入れ、それからデータを読み取ることができる光学ディスクドライブなどである。光学ディスクドライブは、ＣＤ−Ｒ／ＲＷやＤＶＤ−Ｒ／ＲＷ／ＲＡＭなどのドライブのように、光メディア上にデータを書き込む書込モードを備えた、読出／書込光学ディスクドライブでもよい。この場合、ユーザは、キャプチャしたビデオデータや、テキストデータやオーディオデータをディスクに書き込むことができる。装置は、光メディア保管庫を備え、ユーザが自分の選んだデータを書き込む光ディスクを購入する機能を提供するＵＩ要素を少なくとも１つ提供する。記憶媒体は、フロッピーディスク（商標）、Ｚｉｐ（登録商標）ディスク、ＭＯなどのように、磁気ディスク、光ディスクその他の方式のディスクであってもよい。更に、記録のためのインタフェースとしては、ペンドライブやＣｏｍｐａｃｔＦｌａｓｈ（登録商標）、ＳＯＮＹ（登録商標）ＭｅｍｏｒｙＳｔｉｃｋ（登録商標）、ＭｕｌｔｉＭｅｄｉａ  Ｃａｒｄなどのような、市場に出回っているＵＳＢドライブやフラッシュＲＡＭのためのインタフェースがある。
【００３８】
実施例におけるサービス毎料金(fee-for-service)方式のために、多機能装置１が支払い受付モジュールを備えるようにすることもできる。このモジュールは、例えば、ＰａｙＰａｌ（登録商標）等のような、オンライン支払いサービスとのインタフェースを備えていてもよい。またその代わりに、支払受付モジュールは、金銭収受装置やクレジットカード・リーダと、課金証明（charge authorization）モジュールを備えていてもよい。更に別の手段として、支払情報を含んだアカウントをユーザを作成するための、インタラクティブなアカウント作成・保守インタフェースなどもある。また、ユーザは、ユーザ認証システムを用いることで、そのようなアカウントベースの仕組みにおいて既存のアカウントを利用できる。
【００３９】
好適な例では、多機能装置１は少なくとも１つのビデオディスプレイ装置３３を備える。コントローラ１２は、それらディスプレイ装置３３に対し、ユーザのインタラクティブな操作のためのＵＩ要素群を表示したり、ユーザから表示を要求されたデータを表示したりする。例えば、公衆向け表示用に、平均的な大人の目の高さの位置に１つのディスプレイを設け、多機能装置１が使用されていない間、あるいは少なくともそのディスプレイが使用されていない間、そのディスプレイに広告を表示するようにする。この公衆に見えるディスプレイに対応してキーボードとポインティングデバイスが設けられるか、あるいはそのディスプレイはＧＵＩ(graphical user interface)入力装置の一種であるタッチ検知方式のディスプレイであってもよい。実施形態の装置に対し、使わないときには実質的に見えないメイン・ディスプレイ、例えばＣＮＮやロイターにより２００３年９月にhttp://www.cnn.com/2003/TECH/ptech/09/15/videoscreen.air.reut/index.htmlにて報告された（ただし現在はそのリンクは存在しないようである）水蒸気ベースのディスプレイ(water vapor based display)など、を設けることも可能である。
【００４０】
会議室で利用する実施形態では、ハブ装置は、例えばITU-T H.323, H.225, H.235, H.245, Q.931, H.450.1などの標準のうちの１つ乃至複数に準拠したコラボレーション・ソフトウエアを備えるようにすることもできる。Microsoft（登録商標）NetMeeting（登録商標）その他のＶｏＩＰ及びコラボレーション・ソフトウエアはそれらの標準に準拠している。このようなものでなくても、適切なコミュニケーションとコラボレーションが可能なものであるならば、他の標準やソフトウエア・アプリケーションを用いることができる。ユーザは、コラボレーションを行おうと思った場合、その内蔵ソフトウエアとハブ装置の入出力デバイスを用いたり、あるいはＰＤＡやラップトップコンピュータのようなユーザ自身のパーソナル電子機器を用いて接続してコラボレーションを行ったりすることができる。
【００４１】
好適な実施形態の構成では、ハブ装置は、マーキングエンジン、スキャンエンジン、ＦＡＸエンジン、マイクロプロセッサコントローラ、記憶装置、ディスプレイ装置、データポートなどを収容した少なくとも１つのタワーを有するシャーシーを備える。好適には、本実施形態のハブ装置は、２つのタワーを備え、それらタワーの間にプラズマディスプレイや液晶ディスプレイなどのディスプレイ装置と作業台を備える。ディスプレイ装置にカメラやマイクを搭載したり、作業台にスキャンエンジンを埋め込んだりしてもよい。さらに、２つのタワーの間にあるそのディスプレイの背面に、第２のディスプレイを設けてもよい。更に、それらタワーの表面に１以上の追加のディスプレイを設け、複数のユーザがハブ装置に同時にアクセスできるようにすることもできる。この場合、すべてのディスプレイに、キーボードやポインティングデバイスなどの入力デバイスを設けることが好ましい。この代わりに、それら複数のディスプレイとして、タッチ検知方式のディスプレイを用いることもでき、この場合そのディスプレイは適切なＵＩ要素とともに用いることでポインティングデバイスとしても機能する。
【００４２】
上述のように、ハブ装置には少なくとも１つのデータポートが設けられ、それらデータポートには好適にはネットワーク接続ポート、ビデオポート、オーディオポートが含まれる。オーディオフィードバックのために、１以上のスピーカをシャーシーに設けてもよい。また、個人用のオーディオ入出力のために、ヘッドセット（ヘッドフォンとマイクを備える）をヘッドセット・ジャックに差し込めるようにしてもよい。ハブ装置の様々な入出力を用いることで、ハブ装置に接続した１以上のユーザやリモートにいる１以上の人との間でビデオ会議を行うことができる。
【００４３】
実施形態におけるマイクにより、ハブ装置のＵＩと連携して、音声認識パッケージソフトウエアを用いることができる。好適には、コマンド・アンド・コントロール音声認識パッケージを用いることができ、この種のパッケージは、ハブ装置、及びハブ装置上で実行されているアプリケーションを、音声によるコマンドにより制御することができる。更に、音声認識パッケージは、音声によるコマンドにより、ハブ装置が接続されているネットワークに対するナビゲーションサービスを提供する。さらに、文書作成機能を提供する例では、音声認識パッケージは、好適には、音声認識結果をテキスト文書として出力するスピーチ・トゥ・テキストパッケージを備える。
【００４４】
実施形態の装置は、更に別のデータポートとして、パラレル・インタフェース・ポートやシリアル・インタフェース・ポートを備えていてもよい。ハブ装置に接続できる装置としては、例えば、ラップトップコンピュータ等の携帯コンピュータ、ＰＤＡ、携帯電話、記憶装置などがある。好適には、ハブ装置のシャーシーには、１種乃至複数の種類のフラッシュメモリのためのインタフェースと、少なくとも１つのＵＳＢポートが設けられる。また好適には、上述のように、ハブ装置はＤＶＤやＣＤのような光メディアに対して読み書きができる光メディアドライブを備えていてもよい。
【００４５】
上述のように、本実施形態では、旅行者その他のユーザが、サービス毎料金方式で、インターネットのブラウジングや電子メール、ウェブメールの確認をできるようにしたり、ファイル転送や印刷その他の機能やサービスのために携帯装置をサービス毎料金方式で接続できるようにしたりする、公衆がアクセス（利用）可能なマルチメディア・コミュニケーション及びコラボレーションのためのハブ装置を提供する。更に、実施形態ではビデオ会議やファクシミリ送信を利用できるようにする。好適にはユーザがハブ装置のカメラやマイクを用いて動画や静止画をキャプチャ（撮影取り込み）して保存したり、或いは送信したりできるようにする。
【００４６】
好適には、実施形態は、電話サービス、文書やデータの作成、ＣＤやＤＶＤへのデータや映像、音声の書き込みなどの各種サービスを提供する。更に実施形態は、ユーザに対して適切な指示を行ったり、ビデオゲームを提供したり、ソフトウエアをダウンロード販売してメディアに格納したりユーザのコンピュータに直接転送したりすることができる。公共スペースでの実施形態では、使用されていないディスプレイは広告に利用でき、これは収入源となりうる。例えば、広告は、近日上映の映画や、製品、サービス、会社のプロモーションや、従来からの掲示板やその他の広告メディアに利用できる。さらに、広告は、映像、音声、静止画像、コンピュータ・アニメーションなど、広告主に応じて様々なものを含み得る。
【００４７】
実施形態では、好適には、タッチ入力装置、マウス、キーボード、レーザスポットの追跡による入力装置、物体の追跡による入力装置、タグ（例えば無線タグなど）、等々の数多くの入力装置によって制御される。タッチ入力装置には、例えばタッチスクリーンやトラックパッド(trackpad)などがある。好適には、実施形態は個人コードやパスワードを用いる方式などによる認証システムを含む。これら個人コードやパスワードはユーザのパーソナル電子機器から送信したり、入力装置から入力したりする。実施形態は、好適には、動きセンサや周囲の床の床材に埋設された圧力センサなどを用いて、近づいてくるユーザを検知し、そのユーザが仮想業務用名刺（すなわちＰＤＡやＩＣカード等に記憶された名刺データ）等によりＩＤ情報やパスワードを提供できる電子機器を携帯しているかどうかを判定するために無線通信プロトコルを用いて問い合わせを行う。更に、実施形態では、ユーザが自分の名前やパスワードを声で発することができるようにする音声認証システムを利用することもできる。
【００４８】
ユーザがリモート印刷をできるようにするために、実施形態では、様々な形態の、ロック（施錠）可能な印刷を提供する。例えば、ユーザが待ってくれそうな（例えば印刷に要する時間が短い）ジョブは、ユーザがやってきてコードを入力するまで記憶媒体やメモリに保持する。ユーザが待ってくれそうにない（例えば印刷に要する時間が長い）ジョブについては、セキュア（安全）な出力領域が用意されており、この出力領域はユーザがやってくるまで閉鎖されロック状態に保たれ、ユーザがやってくるとハブ装置のユーザインタフェース（以下ＵＩと略す）が、ＩＤとパスワードを確認した上で、適切な出力エリアをユーザに指示する。
【００４９】
実施形態は、Ｘｅｒｏｘ（登録商標） Device Centric Service（商標）（ＤＣＳと呼ぶ）等を用いた、備品（サプライ）やサービスの自動監視や維持管理を実行する。ＤＣＳは、用紙やトナーなど備品の供給や診断その他のサービスを提供する。これらサービスは、ローカル格納されたソフトを用いて実現することもできるし、リモートのサービスホストから取得するようにすることもできる。あるサービスがインストールされていなければ、ＤＣＳはユーザの指示に応じてそのサービスを取得する。
【００５０】
本実施形態が利用されるシナリオの例として、商用で旅をしているジョンという人を考えてみよう。彼は今シカゴのオヘア空港にいる。彼は翌朝新しい依頼人と大事な会議をもつ必要があるが、２０ものフルカラーのプレゼンテーションのパッケージは重くかさばるので持ち運びたくない。そこでジョンはその代わりに、無線ＰＤＡから例えばＸｅｒｏｘ（登録商標）サービスネットワークを介してコマンドを送り、プレゼンテーション資料が本実施形態のハブ装置で印刷、丁合、ステープル留めされるように命令する。ジョンが着陸する３０分ほど前に、ハブ装置はそのプレゼンテーション資料を印刷し、丁合し、ステープル留めして、安全に保護された出力トレイ内に保持する。
【００５１】
ジョンは、空港の共用エリアに進むと、簡単に本実施形態のハブ装置を見つけることができる。彼のプレゼンテーション文書は、安全な出力トレイ上で、印刷面を下にして、ロックが掛けられた状態で、彼が来るのを待っている。ハブ装置は、ジョンのＰＤＡに対し業務名刺データの問い合わせを行い、ユーザＩＤコードを求める。そして、ジョンに対し名前を呼んで挨拶を行い、本人確認のためにパスワード等の認証情報を入力するようジョンに依頼する。ジョンは、パスワードを口で言う、キーボードでタイプする、自分のＰＤＡから送信する、などのいずれかの方式で入力できる。本人確認が成功すると、ハブは安全に保護された出力トレイのロックを解除し、ジョンに対しトレイを開けて中の印刷結果を取り出すように指示する。彼は、その作業をしている間、大型ディスプレイのスクリーン部分に表示されたシカゴのレストランの広告に気づく。ジョンはシカゴは初めてなので、時間が許せばどこか名所に行ってみたいなと思う。
【００５２】
ジョンは、おすすめ付きの現地の旅行ガイドと、彼の泊まるホテルの位置を示した地図をハブ装置に要求する。ハブ装置は、ジョンに対し、求めたデータをＰＤＡに送ってほしいか、ハードコピー出力してほしいか、あるいはその両方か尋ねる。ジョンが両方を選ぶと、データがジョンのＰＤＡに無線で送られ、ハブ装置は彼のためにハードコピーを印刷出力する。
【００５３】
ジョンは着陸したら妻に連絡すると約束していたことを思い出し、「自宅に電話」と言うと、ハブ装置がジョンの名刺データから自宅電話番号を見つけて電話を掛け、ジョンと妻とが通話できるようにする。ハブに組み込まれたカメラは、妻がビデオ電話で話している自宅に対し、生の映像を送信する。さよならを言ったあと、スクロールする地域の天気予報が彼の注意を引く。天気予報は、これから数日はその地方に風雨の前線が居座ると言っており、彼は傘を持っていくのを忘れないようにしようと思う。作業が終わると、ジョンは自分の持ち物を持ち、出口に向かう。
【００５４】
ハブ装置はジョンが作業領域から離れたを検知し、セッションを２０秒以内に自動停止する。印刷とテレビ会議の料金は、彼が予め登録している会社のアカウントに対して請求され、ジョンがホテルに行くタクシーを拾おうと歩いている間に、デジタル領収書がジョンのＰＤＡに送られる。
【００５５】
以上の例のほかに、本実施形態は会議室設備などに適用することができる。シナリオの例として、ボブとジェーンとロンダが予定より数分早く自社の本社会議室に着いた場合を考える。彼らはほかの６人と合流して、イギリスの姉妹部門とテレビ会議を行う。
【００５６】
ほとんどの人はＰＤＡ、ラップトップコンピュータ、コンピュータタブレットなどの携帯電子機器を持っている。普通なら個別の装置間でデータを共有しようすると問題が起こるが、会議室には本実施形態のハブ装置がある。会議のメンバは、自分が共有したいデータを、TCP/IPなどの標準的な転送プロトコルを使って、IRDAやIEEE 802.11, Bluetoothなどの無線接続により、ハブ装置に無線転送する。テレビ会議の間、会議参加者のマシンからのスライドその他のデータは、ハブ装置の大きいディスプレイ装置に表示されるか、プロジェクタによりスクリーンや壁に表示される。これにより、プレゼンテーションが全員によく見える。ハブ装置に組み込まれたカメラにより、イギリス側の参加者が会議室内の全員をポップアップスクリーン上で見ることができ、双方の場所で情報をリアルタイムで情報を共有し、編集することができる。データのブロックは、ラップトップ・マウスやスクリーン上に投影されたレーザポインタによって、スクリーンのあたりを動かすことできる。レーザドットの位置はハブ装置で追跡されており、その動きが特定のアクションとして解釈される。
【００５７】
チームが作業中にあるメンバが重要なデータを持ってくるのを忘れたことに気づいた場合、実施形態によれば、進行中の会議を妨げることなくそのようなデータを会議中に取得することができる。そのメンバは、ハブ装置が備える別のディスプレイ、すなわち「個人用」のディスプレイを用いて、例えばインターネットやセキュアなデータ・アーカイブなどを介してそのデータにアクセスする。そのメンバは、そのデータを取り出し、コラボレーション用のワークスペースや、そのメンバ自身のコンピュータ等の機器、あるいはその両方にコピーすることができる。会議の終わりで、参加者たちが会議結果のハードコピーを望んだ場合、ハブ装置はそれをすぐに、その会議室内でコピー出力する。これにより、その情報を建物内のどこか他にあるローカルのプリンタへと送信し、それを取りに行くために部屋を離れなければならない、というような必要が起こるのを避けることができる。ハブ装置は、好適には、定期的に自己診断を実行する。用紙等の備品の量が少なくなったことを検知すると、ハブ装置は、ユーザ設定に応じて、システム管理者に警告を発したり、備品の発注情報を作成したり、その発注情報を送信したりすることができる。
【図面の簡単な説明】
【００５８】
【図１】実施形態のモジュール群を模式的に示す図である。
【図２】実施形態の機能群を模式的に示す図である。
【図３】実施形態の装置を示す図である。
【図４】実施形態の装置を示す別の図である。
【図５】実施形態の装置を示すさらに別の図である。
【図６】実施形態の装置を示すさらに別の図である。
【図７】実施形態の装置を示すさらに別の図である。
【符号の説明】
【００５９】
１０  マーキングエンジン、１１  スキャンエンジン、１２  コントローラ、１３  印刷サービスモジュール、１４  スキャンサービスモジュール、１５  コピーサービスモジュール、１６  データポート、１７  記憶媒体、１８  支払受付モジュール、１９  ＦＡＸ送信エンジン、２０  ＦＡＸサービス、２１  オーディオ入力／出力、２２  無線ネットワークポート、２３  携帯コンピュータ、２４  ＰＤＡ、２５  携帯電話、２６  パラレルポート、２７  シリアルポート、２８  イーサーネット、２９  ＵＩ、３０  インターネット、３２  入力装置、３３  ディスプレイ装置、３４  カメラ、３５  フラッシュＲＡＭ、３６  光学ドライブ、３７  光メディア、３８  スピーカ、３９  マイク、４０  セキュリティシステム。
【図１】
2005135423.tif 000003
【図２】
2005135423.tif 000004
【図３】
2005135423.tif 000005
【図４】
2005135423.tif 000006
【図５】
2005135423.tif 000007
【図６】
2005135423.tif 000008
【図７】
2005135423.tif 000009